(57)【要約】【課題】本発明は、２次元コード利用における課金システムを提供するものである。【解決手段】公衆通信回線を介して商品の宣伝、紹介、売買などの情報の送受信を行う電子商取引きにおいて、取引き情報の発信者が提供する紙面、商品などの媒体上に付加された画像化情報を該情報の利用者がスキャン用デバイスでスキャンしたヒット数に基づき取引き情報の発信者に所定の料金を課金するシステムであって、取引き情報発信者は、取引き情報を発信すると共に、必要な情報及び認証データを入力した特定の画像化情報を媒体上に付加して利用者に提供し、発信者の確認にあたり、利用者が取引き情報にアクセスする際にスキャンした媒体上の画像化情報の認証データに基づき発信者を特定することで、取引き情報の発信者の本人確認を行い、この認証データ及びそのヒット数に基づき取引き情報の発信者に画像化情報利用の料金を課金することを特徴とする、電子商取引きにおける画像化情報利用の課金システムに関する。【選択図】図１
2005108249.tif 000002
【特許請求の範囲】
【請求項１】
２次元コードのデータ領域内に単一又は複数のファイルアドレスをシリアルナンバーに変換して入力した２次元コードを該コードの利用者のスキャン用デバイスがスキャンして対応するｗｗｗ上のホームページを表示させる方法であって、ホームページのｗｗｗ上の所在を示す複数のＵＲＬを１個以上のシリアルナンバーに変換して統合し、２次元コードのデータ領域内に入力して成る２次元コードと、複数のＵＲＬに対応する複数のホームページを１画面上にマルチ表示する機能を有するｗｗｗブラウザとを組み合わせて、利用者のスキャン用デバイスが上記２次元コードをスキャンしたコードデータに基づき、複数のＵＲＬに対応する複数のホームページをディスプレイの１画面上にマルチ表示させることを特徴とするホームページの表示方法。
【発明の詳細な説明】
【技術分野】
【０００１】
本発明は、公衆通信回線を使用した商品の宣伝、紹介、売買などの情報の送受信を行う電子商取引きに際して、取引き情報と特定の画像化情報を提供する発信者の本人確認と、該確認に基づき画像化情報利用の料金の課金をするための画像化情報利用の課金システムに関するものである。さらに詳しくは、本発明は、インターネット、パソコン通信等の公衆通信回線を使用した電子商取引きにおいて、取引き情報の発信者から提供された紙面、商品、印刷物などの各種の媒体上に付加された２次元コードなどの画像化情報を該情報利用者がスキャン用デバイスでスキャンしたヒット数に基づき取引き情報の発信者に所定の料金を課金するシステムに関するものである。
【背景技術】
【０００２】
コンピュータネットワークの普及に伴い、公衆通信回線を使った電子商取引き、例えば、パソコン通信、インターネットによる商品、サービス、情報等の取引きが急速に普及し、発展する中で、情報の発信側では、いかに高い確率で効率よく利用者に情報を提供できるかが課題であり、一方、受信側（利用者）は、いかにして目的の情報に容易にアクセスすることができるかが課題となりつつある。  さらに、商品、サービス、情報などの取引きに際しての取引きの当事者、すなわち、情報の発信者の本人確認を確実に行う方法、また、ユーザーないし利用者に対する料金の課金を適正に行う方法なども重要な課題となっている。
これらの課題を解決する方法として、従来、例えば、ホームページへのアクセス方法、すなわち、インターネットのＵＲＬをブラウザのホームページ・アドレス・フィールドに簡単な操作で容易に入力する方法、バーコード、２次元コードなどの画像化情報を利用したＵＲＬ入力システム、パソコン通信、インターネットに使われるメールアドレスのバーコード化及び２次元コード化、それらの画像化情報の読み取り受信器、さらには、本人を確認するための認証システムなど、多数の技術が開発され、報告されている。
【０００３】
その代表的なものを幾つか例示すると、例えば、２次元コードを印刷物に印刷して、オフラインで情報を伝達するシステム（特許文献１）、パソコン通信、インターネットで使われるメールアドレスのバーコード化とそのバーコード入力方法（特許文献２）、インターネットリソースのＵＲＬのバーコード入力システム（特許文献３）、２次元コードを印刷した伝票を利用した伝票発行システム（特許文献４）、迅速に２次元コードリーダーと２次元コードの種々の情報への利用（特許文献５）など、きわて多数の方法及び装置が報告されている。
また、サーバーやホームページなどの情報のアクセス先を表す文字列又は図形パターンを読み取り装置で読み取り、前記情報にアクセスさせる情報処理装置及び方法（特許文献６）、また、モザイク模様を利用したインターネット接続システム（特許文献７）、また、バーコードを用いたｗｗｗのファイル閲覧システム（特許文献８）などが提案されている。
さらに、ｗｗｗホームページへのアクセスを、二次元バーコード等のデジタル・コードとスキャナーを用いて、従来よりも容易に行えるようにするシステム及び方法や、個人識別情報を二次元バーコード等のデジタル・コードを用いて一元的に表現することにより、インターネットや電話回線を介しての複数の通信が、従来よりも容易に、同一のユーザ・インターフェースを介して行えるようにするシステム及び方法（特開平１０−２５４８０２号）などが提案されている。
【０００４】
さらに、従来、インターネットのホームページ上の広告、宣伝手段として、バナー広告が利用され、通常、検索サイト上のバナーは、バナーのヒット数に基づいてバナー料金を課する方式、あるいはトップページに配置されたバナーの料金として、ページ上のバナーの露出度に対して一定の料金を課する方式などにより、バナー利用の料金を課する課金方式が適用されている。しかし、バナー広告の場合、実際にバナーそのものがヒットされなければ、本来の情報発信者の意図する目的は達成されない。
このように、インターネットのホームページ上のバナー広告の利用は、拡大する傾向にあるが、現在のｗｗｗ上のホームページ画面上のバナー広告だけでは、その利用に限度があり、さらなる広告効果が期待できる新しい情報発信システムの開発が強く望まれる。
【０００５】
インターネットのホームページのｗｗｗブラウザによる閲覧及び電子メールのホームの呼び出しは、コンピュータをインターネットに接続し所定の操作をするだけでごく簡単に行える作業であるが、必要な情報をピンポイントで呼び出すのは必ずしも容易ではない。  本発明者は、この点に着目して、これまでに、２次元コードにインターネットのホームアドレス及び電子メールアドレスを変換して開示する方法を開発し、すでに特許出願を完了している（特許文献９〜１５）。
しかし、従来、２次元コード提供者として２次元コード及びそのユーザーを管理し、課金する方法は確立されていないのが実情である。すなわち、従来の考え方は、２次元コード作製者（ユーザー）別に料金体系を設定し、例えば、多くの２次元コードを使用するものには安価に料金を設定し、また、単発の使用者には料金を割高に設定して、各々のユーザーごとに価格設定を行うことを前提としていたが、これでは２次元コードの利用の促進には結びつかず、また、ユーザー契約や管理も煩雑になるという問題があった。
【０００６】
【特許文献１】特開平８−３２９２０７号公報
【特許文献２】特開平１０−１４３５９６号公報
【特許文献３】特開平１０−１７７６１３号公報
【特許文献４】特開平１１−５３４５３号公報
【特許文献５】特開平１１−１２０３１１号公報
【特許文献６】特開平９−２０４３８９号公報
【特許文献７】特開平１０−１０５４９２号公報
【特許文献８】特開平１０−１７１７５８号公報
【特許文献９】特願平１０−２５５２２６号公報
【特許文献１０】特願平１０−２５５２２７号公報
【特許文献１１】特願平１０−２５５２２８号公報
【特許文献１２】特願平１０−３７７２５３号公報
【特許文献１３】特願平１０−３７７２５４号公報
【特許文献１４】特願平１１−７２８２３号公報
【特許文献１５】特願平１１−１４０２７０号公報
【発明の開示】
【発明が解決しようとする課題】
【０００７】
このような状況の中で、本発明者は、上記従来技術に鑑みて、公衆通信回線を介して商品の宣伝、紹介、売買などの情報の送受信を行う電子商取引きにおいて、発信者が提供する情報の高い利用度が期待できる新しい情報発信システムを開発することを目標として鋭意研究を積み重ねた結果、情報の発信者は電子情報の発信と併せて、必要な情報及び認証データを入力した２次元コードなどの画像化情報を紙面、商品などの各種の媒体上に付加して利用者に提供し、発信者の確認にあたり、利用者が取引き情報にアクセスする際にスキャンした媒体上の２次元コードなどの画像化情報の認証データに基づき発信者を特定することにより、発信者の本人確認を行い、この認証データ及び２次元コードなどの画像化情報のヒット数に応じてその利用料金を課する新しい課金システムを開発することに成功して、本発明を完成するに至った。
すなわち、本発明は、公衆通信回線を介して商品の宣伝、紹介、売買などの情報の送受信を行う電子商取引きにおいて、取引き情報の発信者が提供する紙面、商品などの媒体上に付加された２次元コードなどの画像化情報を該情報利用者がスキャン用デバイスでスキャンしたヒット数に基づき取引き情報の発信者に所定の料金を課金するシステムを提供することを目的とするものである。
【課題を解決するための手段】
【０００８】
上記課題を解決するための本発明は、以下の技術的手段から構成される。
（１）公衆通信回線を介して商品の宣伝、紹介、売買などの情報の送受信を行う電子商取引きにおいて、
取引き情報の発信者が提供する紙面、商品などの媒体上に付加された画像化情報を該情報の利用者がスキャン用デバイスでスキャンしたヒット数に基づき取引き情報の発信者に所定の料金を課金するシステムであって、
取引き情報の発信者は、取引き情報を発信すると共に、必要な情報及び認証データを入力した特定の画像化情報を媒体上に付加して利用者に提供し、
発信者の確認にあたり、利用者が取引き情報にアクセスする際にスキャンした媒体上の画像化情報の認証データに基づき発信者を特定することで、取引き情報の発信者の本人確認を行い、
この認証データ及びそのヒット数に基づき取引き情報の発信者に画像化情報利用の料金を課金することを特徴とする、電子商取引きにおける画像化情報利用の課金システム。
（２）画像化情報を、２次元コードの画像化情報としたことを特徴とする、前記（１）に記載した電子商取引きにおける画像化情報利用の課金システム。
（３）公衆通信回線を介して商品の宣伝、紹介、売買などの情報の送受信を行う電子商取引きにおいて、
取引き情報の発信者（２次元コード制作者）が提供する紙面、商品などの媒体上に付加された２次元コードを該コードの利用者がスキャン用デバイスでスキャンしたヒット数に基づき２次元コード制作者に所定の料金を課金するシステムであって、
２次元コード制作者は、取引き情報を発信すると共に、必要な情報及びシリアルナンバーを入力した特定の２次元コードを媒体上に付加して利用者に提供し、
２次元コード制作者の確認にあたり、利用者が取引き情報にアクセスする際にスキャンした媒体上の２次元コードのシリアルナンバーに基づき２次元コード制作者を特定することで、２次元コード制作者の本人確認を行い、
このシリアルナンバー及びそのヒット数に基づき２次元コード制作者に２次元コード利用の料金を課金することを特徴とする、電子商取引きにおける２次元コード利用の課金システム。
（４）前記（１）に記載の課金システムで使用するための画像化情報であって、画像化情報のデータ領域内に必要なデータ及び取引き情報の発信者管理用認証データを入力したことを特徴とする画像化情報。
（５）前記（２）ないし（３）に記載の課金システムで使用するための２次元コードであって、２次元コードのデータ領域内に必要なデータと２次元コード制作者管理用認証データないしシリアルナンバーを入力したことを特徴とする２次元コード。
（６）前記（２）ないし（３）に記載の課金システムで使用可能な２次元コードであって、２次元コードのデータ領域内に単一又は複数のファイルアドレスをシリアルナンバーに変換して入力したことを特徴とする２次元コード。
（７）２次元コードのデータ領域内に発信者がインターネット上に開設するｗｗｗ上の単一又は複数のファイルアドレスをシリアルナンバーに変換して入力した２次元コードを用いる、前記（３）に記載の課金システム。
（８）前記（６）に記載の２次元コードを該コードの利用者がスキャンして対応するｗｗｗ上のホームページを表示させる方法であって、ホームページのｗｗｗ上の所在を示す複数のＵＲＬを１個以上のシリアルナンバーに変換して統合し、２次元コードのデータ領域内に入力して成る２次元コードと、複数のＵＲＬに対応する複数のホームページを１画面上にマルチ表示する機能を有するｗｗｗブラウザとを組み合わせて、利用者が上記２次元コードをスキャンしたコードデータに基づき、複数のＵＲＬに対応する複数のホームページをディスプレイの１画面上にマルチ表示させることを特徴とするホームページの表示方法。
【０００９】
次に、本発明について２次元コードの場合を例としてさらに詳細に説明する。
通常、公衆通信回線を使用した電子商取引きによる商品、サービス、情報などの取引きにおいては、情報、商品等の提供者とその利用者が取引きの当事者であるが、本発明では、特定の２次元コードを介して情報の送受信を行うことを特徴としていることから、この２次元コード及びそのユーザーを管理する２次元コード提供者（管理者）が第３者として介在する。
この２次元コード提供者（管理者）は、Ｗｅｂ上で運営されるサイトを制作し、本発明の課金システム管理用コンピュータのＷｅｂサーバーに格納し、運用する。この場合、Ｗｅｂ上で運営されるサイトとして、例えば、ユーザー登録画面、ユーザー承認画面（ヒット課金に対する承認なども含む）、２次コード制作用エンコーダ画面などが例示されるが、これらに制限されない。
【００１０】
電子商取引きにおいて、取引き情報の発信者（２次元コード制作者）は、２次元コード提供者から提供されたＷｅｂサイトのブランクの２次元コードに、必要な情報を入力して所定の２次元コードを制作する。
ここで、２次元コード制作者は、インターネットのｗｗｗブラウザを開き、Ｗｅｂサイト上で、例えば、ＩＤの入力、ユーザーの認証登録、承認ＩＤの受け取り、２次元コード制作などを行う。
この２次元コードには、必要な情報、すなわち、ＵＲＬ、メールアドレス、ＦＤ、ＣＤ−ＲＯＭ、ＤＶＤなどのファイルアドレスなどの他に、２次元コード制作者に固有の認証データを入力する。この認証データは、２次元コード提供者がユーザー（制作者）を管理すると共に、ユーザーの本人確認を行うためのものであり、特に、電子商取引きにおける本人確認の手段としてパスワード、暗証番号等と同等の重要な情報である。この認証データとしては、例えば、シリアルナンバー、デジタルサインなどのデータを、単独であるいはそれらを適宜組み合わせて使用することができるが、そのデータの種類は制限されない。この場合、２次元コード制作者は、２次元コードを料金フリーで利用することが可能であり、紙面、商品などの媒体上に該２次元コードを自由に、例えば、印刷、シール貼付などの適宜の手段で付加することができる。
【００１１】
公衆通信回線を介して情報の送受信を行う電子商取引きにおいて、２次元コード利用に伴う取引き情報の発信者の本人確認とその利用に対する課金を行うにあたり、情報の発信者は、公衆通信回線を介して必要な電子情報を発信すると共に、必要な情報及び認証データを入力した特定の２次元コードを作製し、これを紙面、商品などの媒体上に適宜の手段で付加して利用者に提供する。
すなわち、情報の発信者は、コンピュータなどの入出力装置を介してホームページなどの電子情報を発信すると共に、該電子情報のファイルアドレス及び発信者を特定するシルアルナンバーなどの認証データを表示した２次元コードを作製し、これを紙面、商品などの媒体上に印刷ないしシールして利用者に供給する（図１〜２を参照）。
【００１２】
２次元コード制作者（情報の発信者）は、２次元コードを管理する２次元コード提供者がインターネット上に開設したＷｅｂページなどの２次元コード作製用リソースにアクセスし、ｗｗｗ上に提供されたブランクの２次元コードに情報の発信者（ユーザー）のファイルアドレス／必要情報及びシリアルナンバーなどを入力する。この場合、予めユーザー登録をしておき、ユーザーに指定されたパスワード、メールアドレスなどの認証データに基づき２次元コード制作者（ユーザー）を特定することで、シリアルナンバーを自動挿入するようにすることが可能である。図３に２次元コードの制作の例を示す。制作した２次元コードは画像化情報として制作完了時に登録され、２次元コード提供者（管理者）による画像化情報のデータ確認の後、完成された画像化情報（２次元コード）が電子メールなどの通信回線を介した送受信手段により２次元コード制作者（ユーザー）へ送信される。  制作者は完成された画像化情報を印刷ないしシール化して紙面、商品などの所定の媒体上に添付し、紙面、商品などの媒体として利用者に供給する。
【００１３】
一方、２次元コード利用者は、それを利用するにあたり、紙面、商品などに添付されている特定の２次元コード上を所定のコードリーダ（デバイス）を用いて走査することによりコード情報を電気信号に変換し、コンピュータなどの入出力装置を介してｗｗｗ上の所定のドキュメントないしホームページにアクセスすることができる（図４）。コードリーダ（デバイス）は、光学的に情報を読み取る装置であれば適宜のものでよく、例えば、ＯＣＲやコードリーダなどで構成され、媒体上に付加された２次元コードに光を照射し、その反射光を受光して電気信号に変換し、コンピュータに送信する機能を有している。コンピュータでは、コードリーダの読み取り結果が受信され、そこに含まれるＵＲＬに対応するホームページを管理するサーバーにアクセスするためのｗｗｗブラウザが起動され、所定のホームページにアクセスし、そのホームページを受信し、また、シリアルナンバーの信号は２次元コードを管理するコンピュータのＷｅｂサーバーに送信され、該コンピュータが所定の情報を受信する。すなわち、受信されたホームページは、ｗｗｗブラウザによってディスプレイに表示され、また、このとき、検出されたシリアルナンバーの情報は、２次元コードを管理する所定のコンピュータに送信され、該コンピュータの蓄積データに基づき該シリアルナンバーを照合して情報の発信者（制作者）を特定することで、情報の発信者の本人確認を行うと共に、利用者が該２次元コードを走査したヒット数に基づき発信者に２次元コード利用の料金を課金する課金情報を発信者に送信する。これにより、例えば、制作者は２次元コードがヒットされる数に基づいてその利用に対して課金されるが、ヒット数と課金の関係は適宜設定すればよく、制限されない。実際の料金の決済は、通常の電子決済システムなどを適宜利用することができるが、その方式は特に制限されない（図５）。
【００１４】
本発明において、公衆通信回線を介して商品、の宣伝、紹介、売買などの情報の送受信を行う電子商取引きに使用される入出力装置及び端末装置、利用者が使用する画像化情報の読み取り装置（スキャン用デバイス）、該画像化情報を管理する電子情報処理装置（コンピュータ）及びシステムなどは、通常の情報処理装置及びシステム手段を使用することが可能であり、それらは特に限定されるものではない。
また、本発明において、画像化情報としては、例えば、バーコード、２次元コード、その他の図形パターンなど適宜の情報手段を使用することができるが、好適には、認証データを入力するのに十分なデータ領域を有する２次元コードが使用される。
また、本発明において、２次元コードなどの画像化情報を付加する媒体としては、例えば、新聞、雑誌、広告、折込チラシ、その他の印刷物、適宜の広告媒体、ＦＤ、ＣＤ−ＲＯＭ、光ディスクなどの情報媒体、各種商品などが例示されるが、商品の宣伝、紹介、売買などの情報を提供できる媒体であればその種類は制限されない。  また、これらの媒体上に、２次元コードなどの画像化情報を付加する方法としては、例えば、媒体上に印刷する方法、シール化して貼付する方法、蛍光印刷による方法など適宜の方法を使用することが可能であり、特に制限されない。
本発明の画像化情報利用に伴う課金システムは、例えば、ユーザー登録者に対するユーザーＩＤと２次元コードに付加されたシリアルナンバーと、該ナンバーのヒット数に基づき情報の発信者に課金することを基本としているが、これと合わせて、適宜の他の複数の通信を、ユーザーインターフェースを介して同時的に実施できることは云うまでもない。
【００１５】
本発明は、電子商取引きにおいて、発信者が提供した紙面、商品などの媒体上に添付された画像化情報から、直接、発信者が発信するホームページアドレスないしメールアドレスにアクセスできること、２次元コードの制作時には課金されず、２次元コード制作者は料金フリーで特定の２次元コードを作製し、利用者に提供できること、から、利用者には、目的の情報を簡単な操作で容易に入手することができるメリットがあり、また、情報の発信者には、２次元コードを課金なしで紙面、商品などの媒体上に添付して利用者に提供できるメリットがあり、さらに２次元コード提供者（管理者）には、２次元コードの利用の拡大を期待できると共に、２次元コードの管理と２次元コード利用の料金の課金方法を簡便かつ省力的に実施できるメリットがある。
【発明の効果】
【００１６】
本発明により、１）電子商取引きにおいて、２次元コードに入力された認証データに基づき２次元コード制作者（発信者）の本人確認を簡単かつ正確に行うことができる、２）紙面、商品などの媒体上に添付された２次元コードを利用者はデバイスでスキャンして電子信号に変換するだけで直接発信者の発信するホームページアドレス、メールアドレスを入力することが可能であり、簡単な操作で目的の情報を入手することができる、３）利用者が２次元コードをスキャンしたヒット数に基づき情報の発信者に２次元コード利用の料金を課金することができる、４）２次元コード制作者は料金フリーで自由に２次元コードを作製し、媒体上に添付して利用者に提供することができる、５）２次元コード提供者（管理者）は、２次元コード利用の料金を確実に徴収することができる、等の効果が奏される。
【発明を実施するための最良の形態】
【００１７】
次に、本発明における２次元コードの利用の態様について説明する。
本発明において、２次元コードを利用する場合に、２次元コードのデータ領域内にデータを直接入力することができるが、好適には、例えば、ｗｗｗ上の複数のファイルアドレスを、一個以上のシリアルナンバーに変換し、圧縮して入力することができる。即ち、２次元コードのデータ領域内に必要なデータを入力する場合、該データを直接入力すること、及び該データを暗号化して入力することが可能であり、具体的には、例えば、ＵＲＬ、メールアドレスをデータ領域内に直接入力する方法、これらのデータ及び必要なデータの一部をシリアルナンバーに変換（暗号化）し、圧縮して入力する方法、全てのデータをシリアルナンバーに変換し、圧縮して入力する方法、が例示される。
【００１８】
上記方法において、データをシリアルナンバーに変換（暗号化）し、圧縮して入力することにより、１）データ容量を圧縮できる、２）２次元コードの小面積化、一定化を図れる、３）データを暗号化して入力できる、４）データのセキュリティーを確保できる、５）暗号化したデータ内容を管理用サーバー側で変更できる、６）好適には、９０％〜５０％まで、最大６４ビットまでの圧縮が可能であり、最小３ｍｍ角にできる、７）例えば、６４ビット内で業界コード、２次元コードのシリアルナンバーを挿入できる、８）印刷面に合わせて２次元コードの大きさを自由に変更できる、９）必要により、圧縮した２次元コードを拡大して使用できる、等のメリットが得られる。
上記方法により、２次元コードのデータ領域内にデータを入力する態様を図６に、また、２次元コードのシリアルナンバー化の例を図１６に示す。
【００１９】
データをシリアルナンバーに変換（暗号化）して入力する例を図７に示す。図７において、入力データの「ａ１２３４５」をＡ社用資料、「ｂ１２３４５」をＡ社、Ｂ社用資料、「ｃ１２３４５」をＡ社、Ｃ社用資料、「ｄ１２３４５」をＡ社、Ｄ社用資料に制限してコード化すれば、このコードを利用者がスキャンしたとき、Ａ社は、Ｂ社、Ｃ社、Ｄ社用資料を開示可能となり、Ｂ社は、Ｂ社用資料、Ｃ社はＣ社用資料、Ｄ社はＤ社用資料のみを開示可能となり、これにより、２次元コードの利用者を制限することができる。
【００２０】
本発明では、複数のＵＲＬ及びメールアドアレスを複数個作成し、これを１つのシリアルナンバーにまとめたシリアルナンバーのみを２次元コード化することができる。
２次元コード制作者は、２次元コード作成用エンコーダを開き、管理者側サーバーから送信されたブランクの２次元コードに各々ＵＲＬを入力し、管理者側サーバーへ送信する。管理者は、複数のＵＲＬを１つのシリアルナンバー及びアドレスにまとめて圧縮した２次元コードを制作者に送信し、制作者は、この２次元コードをプリントアウトして印刷物へ貼り込み、利用者へ提供する。
【００２１】
２次元コードを作成する方法として、例えば、２次元コード作成部及び送信部を管理者側に設置し、管理者側でファイルアドレスをシリアルナンバーに変換し、入力した２次元コードを作成し、クライアント側に送信する方法、また、２次元コード作成部をクライアント側に設置し、クライアント側でファイルアドレスを入力した２次元コードを作成し、管理者側に送信し、管理者側でシリアルナンバーに変換し、クライアント側に送信する方法、更に、この場合、管理者側に２次元コード作成部を設置し、作成したダウンロードファイルをクライアント側でダウンロードして利用する方法、が例示されるが、これらの構成は特に制限されない。
【００２２】
次に、利用者は、コードリーダーで上記２次元コードを読み込み、複数のＵＲＬに対応する複数のホームページをディスプレイの１画面上にマルチ表示させる。２次元コードのデータ領域内に入力する複数のＵＲＬアドレスを一つのアドレス及びシリアルナンバーにまとめることにより、例えば、１個の２次元コードをスキャンすることにより複数のホームページをｗｗｗブラウザの１画面上に同時にマルチ表示でき、ブラウザのマルチ画面化を実現できる。この場合、２次元コード及びマルチ表示機能を有するブラウザの利用が必須であるが、これ以外の手段は、通常のものでよく、特に制限されない。これにより、例えば、１）１個の２次元コードでｗｗｗブラウザの１画面上に複数のホームページを同時に表示できる、２）目的のホームページへのアクセスがより容易になる、等のメリットが得られる。
【００２３】
上記方法において、複数のＵＲＬに対応する複数のホームページを１画面上にマルチ表示する機能を有するｗｗｗブラウザが使用されるが、該ブラウザは、上記機能を有するものであれば適宜のものが使用される。
また、上記方法において、コードリーダーによるヒット信号は管理用サーバー及びクライアント側に送信され、クライアントに２次元コード利用の料金を課金する。
上記２次元コード作成及びアドレスページ開示のフローを図８に、また、上記２次元コードによる複数のホームページを同時表示するホームページの表示方法を図９に示す。
【００２４】
次に、  管理者側サーバーによるファイルアドレス管理システムの構成、ファイルアドレスのシリアルナンバーへの変換、ファイルアドレスに対応するｗｗｗホームページの開示方法の例を説明する。
クライアント側は、ファイルアドレスを入力し、管理者側へ送信する。管理者側は、受信したファイルアドレスを統合し、シリアルナンバーに変換し、このシリアルナンバーを画像化情報のデータ領域内に入力し、クライアント側へ送信すると共に、上記シリアルナンバーに統合したファイルアドレスを管理者側サーバーを通じＷｅｂサーバー側へ送りＩＰアドレスに変換し、ユーザーが２次元コードをヒットしたとき、ファイルアドレスに対応するｗｗｗホームページを送信し、開示する。
上記システムの構成の例を図１０〜１２に示す。
【００２５】
次に、２次元コード内のシリアルナンバー分析による情報収集方法の例を説明する。
本発明では、利用者がスキャナでヒットした２次元コード内のシリアルナンバーを分析し、その分析データを２次元コード制作者（クライアント側）へ提供できる。
クライアント側は、エンコーダーソフトを使用し、紙面、商品などの媒体ごとに各シリアルナンバーを付した２次元コードを作成し、各シリアルナンバーの情報を管理者側サーバーへ送信し、登録すると共に、各２次元コードを媒体上に印刷し、ユーザーへ配布する。この２次元コードがユーザーによりヒットされると、各ユーザーのヒット情報は管理者側サーバーへ送信され、管理者側は、このヒット情報を予め登録されているシリアルナンバー情報と照合し、分析し、必要に応じて、この分析データを２次元コード制作者（クライアント側）へ送信する。上記システムの構成例を図１３〜１５に示す。
このように、各２次元コードに各シリアルナンバーを入力することにより、１）各２次元コードを分別できる（２次元コードを個別的に管理できる）、２）クライアント側は、２次元コードの利用状況をヒット情報として高精度で把握できる、３）例えば、商品への関心度（ヒット回数）、媒体別の広告効果（ヒット年月日、時間帯、その他）、などのユーザー動向をデータ化できる、４）それにより、ニーズに適合した商品及び広告をユーザーに提供できる、等のメリットが得られる。
【産業上の利用可能性】
【００２６】
本発明は、公衆通信回線を介して商品の宣伝、紹介、売買などの情報の送受信を行う電子商取引きにおいて、取引き情報の発信者が提供する紙面、商品などの媒体上に付加された画像化情報を該情報利用者がスキャン用デバイスでスキャンしたヒット数に基づき取引き情報発信者に所定の料金を課金するシステムに係るものであり、本発明により、電子商取引きにおいて、２次元コードに入力された認証データに基づき２次元コード制作者（発信者）の本人確認を簡単かつ正確に行うことができる。紙面、商品などの媒体上に添付された２次元コードを利用者はデバイスでスキャンして電子信号に変換するだけで直接発信者の発信するホームページアドレス、メールアドレスを入力することが可能であり、簡単な操作で目的の情報を入手することができる。利用者が２次元コードをスキャンしたヒット数に基づき情報の発信者に２次元コード利用の料金を課金することができる。２次元コード制作者は料金フリーで自由に２次元コードを作製し、媒体上に添付して利用者に提供することができる。２次元コード提供者（管理者）は、２次元コード利用の料金を確実に徴収することができる。
【図面の簡単な説明】
【００２７】
【図１】２次元コード利用における課金システムの説明図である。
【図２】２次元コード利用における課金システムの説明図である。
【図３】２次元コードにシリアルナンバーを入力するシステムの説明図である。
【図４】２次元コードをデバイスを利用してスキャンして出力する工程の説明図である。
【図５】本発明の課金システムの各ステップを示す説明図である。
【図６】２次元コードのデータ領域内へのデータ入力の態様を示す。
【図７】利用者制限コードの例を示す。
【図８】２次元コードの作成及びアドレスページの開示のフローを示す。
【図９】複数のＵＲＬをシリアルナンバーに統合し、入力した２次元コードを用いて複数のページを同時表示するシステムの例を示す。
【図１０】複数のファイルアドレスをシリアルナンバーに統合し、入力した画像化情報を利用した本発明のシステムの例を示す（クライアント側）。
【図１１】複数のファイルアドレスをシリアルナンバーに統合し、入力した画像化情報を利用した本発明のシステムの例を示す（管理者側）。
【図１２】複数のファイルアドレスをシリアルナンバーに統合し、入力した画像化情報を利用した本発明のシステムの例を示す（ユーザー側）。
【図１３】２次元コード内のシリアルナンバー分析による情報収集のシステムの例を示す（クライアント側）。
【図１４】２次元コード内のシリアルナンバー分析による情報収集のシステムの例を示す（管理者側）。
【図１５】２次元コード内のシリアルナンバー分析による情報収集のシステムの例を示す（ユーザー側）。
【図１６】２次元コードのシリアルナンバー化を示す。
【図５】
2005108249.tif 000003
【図８】
2005108249.tif 000004
【図１１】
2005108249.tif 000005
【図１４】
2005108249.tif 000006
【図１】
2005108249.tif 000007
【図２】
2005108249.tif 000008
【図３】
2005108249.tif 000009
【図４】
2005108249.tif 000010
【図６】
2005108249.tif 000011
【図７】
2005108249.tif 000012
【図９】
2005108249.tif 000013
【図１０】
2005108249.tif 000014
【図１２】
2005108249.tif 000015
【図１３】
2005108249.tif 000016
【図１５】
2005108249.tif 000017
【図１６】
2005108249.tif 000018